(57)【要約】【課題】  本発明は、モップ１７を使用して掃除をした後に、掃除機を利用してモップ１７に付いた埃、塵を、回りに飛散させることなく除去することを課題としたものである。【解決手段】  長方形の箱状体４の上面に吸引部材６を設け、この長方形の箱状体４の長手一方の側板３の下方端辺と底板２との間にスリット１を設け、この側板３の外面に、吸引ホース用接続口７を一箇所設けた長方体状の両端を密閉した角筒５を、この角筒５の底面８と上記底板２とを同一平面になるように連設したことである。【選択図】    図１
2007029583.tif 000002
【特許請求の範囲】
【請求項１】
長方形の箱状体（４）の上面に吸引部材（６）を設け、この長方形の箱状体（４）の長手一方の側板（３）の下方端辺と底板（２）との間にスリット（１）を設け、この側板（３）の外面に、吸引ホース用接続口（７）を一箇所設けた長方体状の両端を密閉した角筒（５）を、この角筒（５）の底面（８）と上記底板（２）とを同一平面になるように連設したことを特徴とするモップに付着したゴミを取り除くためのモップ用掃除具。
【請求項２】
長手方向の両側面に斜め上方に傾斜させた傾斜外側板（２０、２０）を設けた逆台形の箱状体（１４）の上面に吸引部材（６）を設け、この逆台形の箱状体（１４）の両逆台形側板（２１、２１）の間に、逆Ｖ字状の傾斜内側板（２２、２２）を設け、この傾斜内側板（２２、２２）の下端辺と底板（２）との間に隙間（１５、１５）を設けるようにして取り付け、上記逆台形側板（２１、２１）の一方の逆Ｖ形の開口部に対応するところに吸引ホース用接続口（７）を設けたことを特徴とするモップに付着したゴミを取り除くためのモップ用掃除具。
【請求項３】
上記吸引部材（６）が長手方向又は短辺方向に複数の桟（９、９・・・）を簀の子状にするか、又は碁盤の目状にして設けたものであることを特徴とする請求項１又は２記載のモップに付着したゴミを取り除くためのモップ用掃除具。
【請求項４】
上記箱状体（４）の長手二方の側板（３、３１）を吸引部材（６）より高くし、短辺側板（３２、３３）の一方又は両方を高くするか高くせずしたことを特徴とする請求項１又は２又は３記載のモップに付着したゴミを取り除くためのモップ用掃除具。
【請求項５】
上記箱状体（４）の一方の短辺側板（３２又は３３）を除いた三側面を、吸引部材（６）より高くした側板（３、３１）及び短辺側板（３２又は３３）の上端辺全面に天板（１０）を設けているか、又は長手方向に切欠のある天板（１１）を設けたことを特徴とする請求項１又は２又は３記載のモップに付着したゴミを取り除くためのモップ用掃除具。
【請求項６】
上記箱状体（４）の長手一方の側板（３）又は長手二方の側板（３、３１）を吸引部材（６）より高くし、この側板（３）の上端辺から上記底板（２）より短い長さの庇（１２）を設け、この両側面を被う形状とした短辺側板（３２、３３）を設けたことを特徴とする請求項１又は２又は３記載のモップに付着したゴミを取り除くためのモップ用掃除具。
【請求項７】
上記吸引部材（６）の上面全面を網状体（１３）で被ったことを特徴とする請求項１〜６の何れかに記載のモップに付着したゴミを取り除くためのモップ用掃除具。
【発明の詳細な説明】
【技術分野】
【０００１】
本発明は、家庭で使用するモップや体育館など広い床を掃除する時に使用するモップに付着した埃、塵を除去する方法に関するものである。
【背景技術】
【０００２】
従来、家庭で日常的に家具、置物、床など掃除をする時に使用している掃除具としては掃除機やモップなどがある。短い取手を取り付けたハンディータイプのものや長い取手を取り付けたフロァー用のものなど様々なものが開発されている。そして埃、塵を拭き取って汚れた拭布部をそのままにしていたのでは掃除機能を果たさなくなるので、拭布部の埃、塵を払い落とすことによって再度使用することが出来る。この埃、塵を除去する方法としてはゴミ袋の中や屋外で何かに叩き付けて除去している。また体育館など広い床の掃除用としては、長い握り棒の先に付いた横長の底面に布や紐を取り付けたモップを使用している。体育館の広い床を掃除するには複数の人が横に並んで順次握り棒の先端に取り付けたモップを前方にして押しながら埃、塵を集めている。そして集めてきた埃、塵の付いたモップを掃除する方法としてはモップを複数回床に叩き付けて落としている。この時に落ちた埃、塵を掃除機で吸い取るのであるが、この時に細かい埃、塵は周囲に舞い上がり、モップの中に入り込んだ塵は綺麗に除去することは出来ない。
【０００３】
【特許文献１】特開平７−３５０１６３号
【特許文献２】特開平９−１７３２６４号
【特許文献３】実登３０２４５２２号
【発明の開示】
【発明が解決しようとする課題】
【０００４】
握り棒の先端に取り付けたモップを前方に押して複数の人が横に並んで埃、塵を集めて戻ってきたモップの中の状態は、モップに付いている紐が絡み合いその中に埃、塵がいっしょに付着しているので、表面に付着したホコリ、ゴミは取り除き易いが、絡み合った紐の中に入ったものは取り難い状態になっている。この紐の中に入った埃、塵を取り除くことが出来るようにするには、掃除機で吸引させている箱状体の上でモップを振動させて振るい落とすか吸引部材に擦って落とせば良く、それによって落ちた埃、塵を掃除機で吸引させて取り除くことが出来るような構造にすれば良い。
【０００５】
本発明は、モップを使用して掃除をした後に、掃除機を利用してモップに付いた埃、塵を回りに飛散させることなく除去することを課題としたものである。
【課題を解決するための手段】
【０００６】
本発明の請求項１記載のモップ用掃除具（以下、本発明１という）は、長方形の箱状体４の上面に吸引部材６を設け、この長方形の箱状体４の長手一方の側板３の下方端辺と底板２との間にスリット１を設け、この側板３の外面に、吸引ホース用接続口７を一箇所設けた長方体状の両端を密閉した角筒５を、この角筒５の底面８と上記底板２とを同一平面になるように連設したことを特徴としている。
【０００７】
本発明１の吸引部材６とは複数の貫通孔、溝を有する多孔板であり、厚みを限定するものではなく、貫通孔の形状を限定するものではない。そして箱状体４内に着脱可能にして格納も出来るものでる。また側板３の取り付け角度も限定するものでなく、斜めに傾斜させて取り付けることも出来る。
【０００８】
かかる構成により、図２に示すように長方体状の両端を密閉した角筒５に取り付けた吸引ホース用接続口７に掃除機のホース１６を連結し、吸引部材６上に載せたモップ１７を叩くか擦り付けて掃うことによって埃、塵を箱状体４の中に落とし、細長いスリット１から埃、塵を吸引することが出来るものである。
【０００９】
本発明の請求項２記載のモップ用掃除具以下、本発明２という）は、長手方向の両側面に斜め上方に傾斜させた傾斜外側板２０、２０を設けた逆台形の箱状体１４の上面に吸引部材６を設け、この逆台形の箱状体１４の両逆台形側板２１、２１の間に、逆Ｖ字状の傾斜内側板２２、２２を設け、この傾斜内側板２２、２２の下端辺と底板２との間に隙間１５、１５を設けるようにして取り付け、上記逆台形側板２１、２１の一方の逆Ｖ形の開口部に対応するところに吸引ホース用接続口７を設けたことを特徴としている。
【００１０】
かかる構成により、図３に示すように逆台形側板２１に取り付けた吸引ホース用接続口７に掃除機のホース１６を連結し、図４に示すように吸引部材６上に載せたモップ１７を叩くか擦り付けて掃うことによって埃、塵を逆台形の箱状体１４の中に落とし、隙間１５、１５から埃、塵を吸引することが出来るものである。
【００１１】
本発明の請求項３記載のモップ用掃除具以下、本発明３という）は、上記吸引部材６が長手方向又は短辺方向に複数の桟９、９・・・を簀の子状にするか、又は碁盤の目状にして設けたものであることを特徴としている。
【００１２】
本発明３で言う桟９は、形状を限定するものではなくグレーチング、細長い平板、角棒、丸棒、パイプなどであり、桟９を短辺方向に並べて設けた場合は、図５に示すように底板２上に接して設けるか又は図８に示すように桟９を設けることが出来る。長手方向に並べて設けた場合は、図６に示すように桟９の下端辺と底板２との間に間隔をあけて設け、桟９の取り付け角度は限定するものではなく図９に示すように斜めに傾斜させて設けることも出来る。また桟９を碁盤の目状にした場合は、長手方向の桟９の下端辺と底板２との間には間隔を開ける必要がある。
【００１３】
かかる構成により、図５、図６、図７に示す吸引部材６の上にモップ１７を載せて上下動させて叩くか、左右動又は前後動させて擦るようにして掃うことによって、複数の桟９、９・・・の隙間から埃、塵を下方に落とし、細長いスリット１又は隙間１５、１５から埃、塵を掃除機で吸引することが出来るものである。
【００１４】
本発明の請求項４記載のモップ用掃除具以下、本発明４という）は、上記箱状体４の長手二方の側板３、３１を吸引部材６より高くし、短辺側板３２、３３の一方又は両方を高くするか高くせずしたことを特徴としている。
【００１５】
側板３、３１及び短辺側板３２又は３３は吸引部材６に取り付けるか又は取り外し可能にして設けることも出来る。
【００１６】
かかる構成により、図１０に示すように吸引部材６より側板３、３１短辺側板３２、３３を高く設けることによって、モップ１７を掃った時に出る埃が飛散しないように吸引する空気の流入方向を吸引部材６の方向に制御するようにしたものである。
【００１７】
本発明の請求項５記載のモップ用掃除具以下、本発明５という）は、上記箱状体４の一方の短辺側板３２又は３３を除いた三側面を、吸引部材６より高くした側板３、３１及び短辺側板３２又は３３の上端辺全面に天板１０を設けているか、又は長手方向に切欠のある天板１１を設けたことを特徴としている。
【００１８】
側板３、３１及び短辺側板３２又は３３は吸引部材６に取り付けるか又は取り外し可能にして設けることも出来る。
【００１９】
かかる構成により、図１１、図１２に示すように吸引部材６より高くした側板３、３１及び短辺側板３２又は３３の上端辺全面に天板１０又は長手方向に切欠のある天板１１を設けることによって、モップ１７を掃った時に出る埃が飛散しないように吸引する空気の流入方向を吸引部材６の方向に制御するようにしたものである。
【００２０】
本発明の請求項６記載のモップ用掃除具以下、本発明６という）は、上記箱状体４の長手一方の側板３又は長手二方の側板３、３１を吸引部材６より高くし、この側板３の上端辺から上記底板２より短い長さの庇１２を設け、この両側面を被う形状とした短辺側板３２、３３を設けたことを特徴としている。
【００２１】
かかる構成により、図１３に示すように側板３側の側面を被うことによって、モップ１７を掃った時に出る埃が飛散しないように吸引する空気の流入方向を吸引部材６の方向に制御するようにしたものである。
【００２２】
本発明の請求項７記載のモップ用掃除具以下、本発明７という）は、上記吸引部材６の上面全面を網状体１３で被ったことを特徴としている。
【００２３】
本発明７の網状体１３としては合成樹脂を網状に一体成型したもの、合成繊維、ロープ、針金を編むか織ったもの、針金、棒を間隔を開けて網状に設けたもの、溶接金網など空間率の大きいものを言う。
【００２４】
かかる構成により、図１４に示すように吸引部材６の全面を網状体１３で被うことによって、モップ１７を掃った時に網状体１３に接触して埃、塵を落とし易くすることが出来るものである。
【発明の効果】
【００２５】
本発明１の効果として、図１、図２に示すように本発明１の長方形の吸引部材６の上に、埃、塵の付いたモップ１７を載せて上下動させて叩くか左右動させて擦り付けることによって落ちた軽い塵、埃はスリット１から吸い込み、重い塵は箱状体４の底板２の上に落としてモップ１７の掃除をすることが出来るものである。
【００２６】
本発明２の効果として、図３、図４に示すように本発明２逆台形の箱状体１４の上面の吸引部材６の上に埃、塵の付いたモップ１７を載せて上下動させて叩くか左右動させて擦り付けることによって落ちた軽い塵、埃はスリット１から吸い込み、重い塵も傾斜外側板２０、２０とを滑って隙間１５、１５から吸引してモップ１７の掃除をすることが出来るものである。
【００２７】
本発明３の効果として、図５、図６、図７に示すように本発明３の吸引部材６として複数の桟９、９・・・を長手方向又は短辺方向又は簀の子状にして設けていることは、桟９と桟９の隙間にモップ１７の紐が入り込み、モップ１７の奥に入り込んだ埃、塵をかき出すことが出来るものである。
【００２８】
本発明４の効果として、図１０に示すように本発明４の箱状体４の側板３、３１、短辺側板３２、３３を吸引部材６より高くした中にモップ１７を入れて上下動又は左右動させて埃、塵を払い落とした時に、埃が飛散しないように吸引する空気の流入方向を吸引部材６の方向に制御するようにしたものである。
【００２９】
本発明５の効果として、図１１に示すように本発明４の吸引部材６の三方側面を高くし、上面全面に天板１０を設けることによって、一方側面だけから空気を吸引することが出来る。又図１２に示すように本発明４の吸引部材６の三方側面を高くし、上面に切欠のある天板１１を設けることによって、モップ１７の握り棒を本体中央部入れてモップ１７で集めてきた埃、塵を払い落とすことが出来るので、埃が飛散しないように吸引する空気の流入方向を吸引部材６の方向に制御するようにしたものである。
【００３０】
本発明６の効果として、図１３に示すように本発明６の吸引部材６の三方側面と上面に庇１２を取り付けることによって、モップ１７の握り棒を持ってモップ１７で集めてきた埃、塵を払い落とした時に、埃が飛散しないようにスリット１側側面から吸引するように空気の流れを制御するようにしたものである。
【００３１】
本発明７の効果として、図１４に示すように本発明７の吸引部材６の上面前面に網状体１３を設けることによってモップ１７に取り付いた埃、塵を掃い易くしている。
【発明を実施するための最良の形態】
【００３２】
長方形の箱状体４の全体に吸引部材６を設け、この長方形の箱状体４の長手一方の側板３の下方端辺と底板２との間にスリット１を設け、この側板３の外面に、吸引ホース用接続口７を一箇所設けた長方体状の両端を密閉した角筒５を、この角筒５の底面８と上記底板２とを同一平面になるように連設し、側面を高くしたり天板１０を設けたりすることによって、吸引する空気の流れを吸引部材６の全面から吸引出来るようにした事である。
【実施例１】
【００３３】
実施の形態の一例として、図１は本発明１の斜視図であり、図２は図１のA−Aの部分縦断面図である。長方形の箱状体４の上面に吸引部材６を設け、この長方形の箱状体４の長手一方の側板３の下方端辺と底板２との間にスリット１を設け、この側板３の外面に、吸引ホース用接続口７を一箇所設けた長方体状の両端を密閉した角筒５を、この角筒５の底面８と上記底板２とを同一平面になるように連設したことで構成されている。
【００３４】
本発明１の実施例を示している図１は、長方形の箱状体４の上面に吸引部材６を取り外し可能にして嵌め込み、長手一方の側板３の下方端辺と底板２との間にスリット１を全辺に亘り設け、この側板３の外面に、吸引ホース用接続口を上面中央部に設けた角筒５の両端面を密閉し、この角筒５の底面８と底板２とを同一平面となるように連設したものである。
【００３５】
本発明１の使用法は、電気掃除機のホースを吸引ホース用接続口７に取り付けて角筒７のスリット１から吸引させるようにする。そしてモップ１７を使用して床上に散らばっている埃、塵を集めて来た後、集めた埃、塵はそのまま床の一箇所に残し、モップ１７を吸引部材６の上に静かに載せ、周りに飛び散らないようにして、吸引部材６の上で上下に振動させて叩くか左右前後に擦ることによって、箱状体４の中に埃、塵を落とすことが出来る。軽い埃はスリット１から電気掃除機で吸引されるが重い塵などは箱状体４の底板２上に溜まるので、本発明１本体の長手方向の側面側を上げて傾斜させてスリット１から吸引させるか、電気掃除機のホースの先端に取り付けた細い吸引ヘッドで吸引すれば良い。床に残った塵も後に吸引すれば良い。
【００３６】
実施の形態の一例として、箱状体４はＳＵＳ３０４の厚み１ｍｍを使用して幅９７ｃｍ、奥行き１７ｃｍ、高さ２．５ｃｍのものであり、側板３の下端辺と底板２との間に３ｍｍのスリット１を設けている。角筒５は幅９７ｃｍ、奥行き６．５ｃｍ、高さ２．５ｃｍあり、角筒５の中央部上面にＳＵＳ３０４の直径３．２ｃｍ、高さ８ｃｍのパイプを吸引ホース用接続口７として取り付けてある。吸引部材６は厚み２ｍｍの２０φ×３０Ｐのステンレスパンチングメタルを取り付けて製作したモップ掃除具の吸引ホース用接続口７に電気掃除機の吸引ホースを接続し、吸引部材６の上にモップ１７を載せ連続して吸引部材６を叩くようにするか左右動又は前後動させることによって、モップ１７に付着した埃、塵をスリット１から吸引することが出来た。吸引されずに箱状体４内の底板２１上に溜まった塵は作業終了後に掃除機用吸引ヘッドで吸引して、フロアーとモップ１７の両方を掃除することが出来た。
【実施例２】
【００３７】
実施の形態の一例として、図３は本発明２の斜視図であり、図４は図３のB−Bの部分縦断面図である。長手方向の両側面に斜め上方に傾斜させた傾斜外側板２０、２０を設けた逆台形の箱状体１４の上面に吸引部材６を設け、この逆台形の箱状体１４の両逆台形側板２１、２１の間に、逆Ｖ字状の傾斜内側板２２、２２を設け、この傾斜内側板２２、２２の下端辺と底板２との間に隙間１５、１５を設けるようにして取り付け、上記逆台形側板２１、２１の一方の逆Ｖ形の開口部に対応するところに吸引ホース用接続口７を設けたことで構成されている。
【００３８】
本発明２の実施例を示している図３、図４は、逆台形の箱状体１４の上面に吸引部材６を取り外し可能にして嵌め込み、この逆台形の箱状体１４の両逆台形側板２１、２１の間に、逆Ｖ字状の傾斜内側板２２、２２を設け、この傾斜内側板２２、２２の下端辺と底板２との間に隙間１５、１５を全辺に亘り設け、逆台形側板２１、２１の一方に吸引ホース用接続口７を設けたものである。
【００３９】
本発明２の使用法は、逆台形側板２１に取り付けた吸引ホース用接続口７に電気掃除機のホースを取り付け、傾斜内側板２２、２２の下端辺と底板２との間に設けた二箇所の隙間１５、１５から吸引させるようにしたものである。そしてモップ１７を使用して床上に散らばっている埃、塵を集めて来た後、集めた埃、塵はそのまま床の一箇所に残し、モップ１７を吸引部材６の上に静かに載せ、周りに飛び散らないようにして、吸引部材６の上で上下に振動させて叩くか左右前後に擦ることによって、箱状体４の中に埃、塵を落とすことが出来る。軽い埃は二箇所の隙間１５、１５から電気掃除機で吸引され、重い塵などは傾斜内側板２２、２２の斜面を滑り落ちて二箇所の隙間１５、１５から吸引させることが出来る。隙間１５、１５に塵が詰まった場合は吸引部材６を取り外し掃除機の吸引ヘッドで吸引すれば良い。床に残った塵も後に吸引すれば良い。
【００４０】
実施の形態の一例として、逆台形の箱状体１４はＳＵＳ３０４の厚み１ｍｍを使用して幅９７ｃｍ、底面の奥行き９ｃｍ、上面の奥行き１７ｃｍ、高さ４．５ｃｍのものであり、逆Ｖ字状の傾斜内側板２２の奥行きは５ｃｍ、傾斜外側板２０との角度は９０°である。底板２と傾斜内側板２２の下端辺との間に３ｍｍの隙間１５を設けている。逆台形側板２１の一方にＳＵＳ３０４の直径３．２ｃｍ、高さ８ｃｍのパイプを吸引ホース用接続口７として取り付けてある。吸引部材６は厚み２ｍｍの２０φ×３０Ｐのステンレスパンチングメタルを取り付けて製作したモップ掃除具の吸引ホース用接続口７に電気掃除機の吸引ホースを接続し、吸引部材６の上にモップ１７を載せ連続して吸引部材６を叩くようにするか左右動又は前後動させることによって、モップ１７に付着した埃、塵を隙間１５、１５から吸引することが出来た。
【実施例３】
【００４１】
実施の形態の一例として、図５、図６、図７は本発明３の斜視図であり、図８、図９は説明図である。上記吸引部材６が長手方向又は短辺方向に複数の桟９、９・・・を簀の子状にするか、又は碁盤の目状にして設けたものであることで構成されている。
【００４２】
実施の一例として図５に示しているのは、短辺方向に複数の桟９、９・・・を設けたものであり、桟９を垂直にして底板２上に載せて設けることが出来る。桟９の下端辺と低板２との間隔はスリット１よりは大きいが出来るだけ小さくした方が吸引部材６の全面から吸引することが出来る。図６に示しているのは、長手方向に複数の桟９、９・・・を設けたものであり、桟９を垂直にして底板２との間に間隔を空けて設けているが、桟９をスリット１側に斜め下方に傾斜して設けても良い。これらの吸引部材６は取り外し可能にして設けているが、箱状体４に嵌め込んだものでも良い。また図７に示しているのは、桟９を碁盤の目状にして設けたものである。
【００４３】
実施の形態の一例として、図８に示しているのは、本発明２の逆台形の箱状体１４の上面に短辺方向に複数の桟９、９・・・を設けたものを載せたものである。吸引部材６の短辺方向に設けた桟９は鉄製の長さ１６．５ｃｍ、厚み４ｍｍであり、３０枚の桟９を等間隔にして長手方向のフレームに固定して設けている。図９に示しているのは、長手方向に複数の桟９、９・・・を設けたものであり、傾斜外側板２０、２０と傾斜内側板２２、２２との間に出来たＶ字状の空間に桟９を傾斜して設けたものである。吸引部材６の長手方向に設けた桟９は鉄製の長さ９６．５ｃｍ、厚み４ｍｍであり、８枚の桟９を等間隔にして短辺側側面のフレームに固定してある。本実施例として吸引部材６の桟９はステンレス、鉄の板を溶接して製作しているが、アルミ、鋳物で製作することも出来る。吸引部材６の桟９はモップ１７で叩いたり擦ったりするので変形し難い構造にしたものである。
【実施例４】
【００４４】
実施の形態の一例として、図１０は本発明４の斜視図である。上記箱状体４の長手二方の側板３、３１を吸引部材６より高くし、短辺側板３２、３３の一方又は両方を高くするか高くせずしたことで構成されている。
【００４５】
本発明４の実施例を示している図１０は、箱状体４の長手二方の側板３、３１と両方の短辺側板３２、３３を吸引部材６より高くし、長手二方の側板３、３１を内側に斜めに傾斜させたものである。この側板３、３１と両方の短辺側板３２、３３で囲われた中に、埃、塵の付いたモップ１７を載せて吸引部材６の上に左右動させて擦り付けるか、上下動させて叩き付けることによって、モップ１７に付いた埃、塵を箱状体４の中に落とすことが出来る。
【００４６】
実施の形態の一例として、側板３、３１短辺側板３２、３３の高さは６ｃｍであり、７０°の角度で内側に傾斜させて取り付けている。傾斜させることによって、吸引する空気の流入口を小さくして埃、塵の飛散を防ぐことが出来る。使用するモップ１７のタイプは握り棒の長いものが適している。
【実施例５】
【００４７】
実施の形態の一例として、図１１、図１２は本発明５の斜視図である。上記箱状体４の一方の短辺側板３２又は３３を除いた三側面を、吸引部材６より高くした側板３、３１及び短辺側板３２又は３３の上端辺全面に天板１０を設けているか、又は長手方向に切欠のある天板１１を設けたことで構成されている。
【００４８】
本発明５の実施例を示している図１１は、三側面を吸引部材６より高くし、三側面の上端辺全面に天板１０を設けたものである。短いハンドルをモップの側面に取り付けたハンディーモップを空いている側面から挿入し、吸引部材６の上で左右動させて擦り付けるか、上下動させて叩き付けるか前後動させて擦り付けることによって、ハンディーモップに付いた埃、塵を箱状体４の中に落とすことが出来るものである。
【００４９】
本発明５の実施例を示している図１２は、三側面を吸引部材６より高くし、三側面の上端辺全面に中央部まで切欠のある天板１１を設けたものである。長いハンドルを取り付けたモップ１７を空いている側面から挿入し、吸引部材６の上に左右動させて擦り付けるか、上下動させて叩き付けることによって、モップ１７に付いた埃、塵を箱状体４の中に落とすことが出来るものである。
【００５０】
実施の形態の一例として、側板３、３１短辺側板３２又は３３の高さは６ｃｍあり、吸引する空気の流入口は一方の側面と切欠部だけであり、埃、塵の飛散を完全に防ぐことが出来る。
【実施例６】
【００５１】
実施の形態の一例として、図１３は本発明６の斜視図である。上記箱状体４の長手一方の側板３又は長手二方の側板３、３１を吸引部材６より高くし、この側板３の上端辺から上記底板２より短い長さの庇１２を設け、この両側面を被う形状とした短辺側板３２、３３を設けたことで構成されている。
【００５２】
本発明６の実施例を示している図１３は、三側面を高くし庇１２を設けたカバーを取り付けることによって、長い握り棒を取り付けたモップ１７を空いている側面から挿入し、吸引部材６の上で前後動させて擦り付けるか、上下動させて叩き付けることによって、モップ１７に付いた埃、塵を箱状体４の中に落とすことが出来るものである。
【００５３】
実施の形態の一例として、側板３、３１短辺側板３２、３３の高さは６ｃｍあり、庇１２の奥行きは６ｃｍあるので、吸引する空気の流入口は上面の空間部だけであり、モップ１７の出し入れもし易く埃、塵の飛散を完全に防ぐことが出来る。
【実施例７】
【００５４】
実施の形態の一例として、図１４は本発明７の斜視図である。上記吸引部材６の上面全面を網状体１３で被ったことで構成されている。
【００５５】
本発明７の実施例を示している図１４は、吸引部材６の上面全面にステンレス製の直径１．５ｍｍの２メッシュの網を設けたものである。この網によってモップ１７の紐に取り付いた塵を落とすことが出来る。又実施例の形態の一例として、図５に示している短辺方向に桟９を並べた吸引部材６の上には、長手方向に6ｍｍぐらいの金属棒を等間隔に隙間を空けて取り付けるか又は図６に示す長手方向に桟９を並べた吸引部材６の上の短辺方向に金属棒を等間隔に隙間を空けて取り付けて取り付けることも出来る。そしてこれらの網状体１３の上にモップ１７を載せて叩いたり、擦ったりしてモップ１７に付着している埃、塵を掃って網状体１３の隙間から箱状体４、１４の中に埃、塵を落とすことが出来るものである。
【図面の簡単な説明】
【００５６】
【図１】本発明１の実施の形態の一例を示す斜視図である。
【図２】本発明１の図１のA−Aの部分縦断面図である。
【図３】本発明２の実施の形態の一例を示す斜視図である。
【図４】本発明２の図３のB−Bの部分縦断面図である。
【図５】本発明３の実施の形態の一例を示す斜視図である。
【図６】本発明３の実施の形態の一例を示す斜視図である。
【図７】本発明３の実施の形態の一例を示す斜視図である。
【図８】本発明３の実施の形態の一例を示す説明図である。
【図９】本発明３の実施の形態の一例を示す説明図である。
【図１０】本発明４の実施の形態の一例を示す斜視図である。
【図１１】本発明５の実施の形態の一例を示す斜視図である。
【図１２】本発明５の実施の形態の一例を示す説明図である。
【図１３】本発明６の実施の形態の一例を示す斜視図である。
【図１４】本発明７の実施の形態の一例を示す斜視図である。
【符号の説明】
【００５７】
１  スリット
２  底板
３  側板
４  長方形の箱状体
５  角筒
６  吸引部材
７  吸引ホース用接続口
８  底面  
９  桟
１０  天板
１１  切欠のある天板
１２  庇
１３  網状体
１４  逆三角形の箱状体
１５  三角筒
１６  掃除機のホース
１７  モップ
２０  傾斜外側板
２１  逆台形側板
２２  傾斜内側板
３１  側板
３２  短辺側板
３３  短辺側板
【図１】
2007029583.tif 000003
【図２】
2007029583.tif 000004
【図３】
2007029583.tif 000005
【図４】
2007029583.tif 000006
【図５】
2007029583.tif 000007
【図６】
2007029583.tif 000008
【図７】
2007029583.tif 000009
【図８】
2007029583.tif 000010
【図９】
2007029583.tif 000011
【図１０】
2007029583.tif 000012
【図１１】
2007029583.tif 000013
【図１２】
2007029583.tif 000014
【図１３】
2007029583.tif 000015
【図１４】
2007029583.tif 000016
【手続補正書】
【提出日】平成17年8月8日(2005.8.8)
【手続補正１】
【補正対象書類名】明細書
【補正対象項目名】００２１
【補正方法】変更
【補正の内容】
【００２１】
かかる構成により、図１３に示すように側板３又は側板３、３１の側面を高くし、底板２より短い長さの庇１２を設け、両短辺側板３２、３３を被うことによって、モップ１７を掃った時に出る埃が飛散しないように吸引する空気の流入方向を吸引部材６の方向に制御するようにしたものである。
【手続補正２】
【補正対象書類名】明細書
【補正対象項目名】００２５
【補正方法】変更
【補正の内容】
【００２５】
本発明１の効果として、図１、図２に示すように本発明１の長方形の吸引部材６の上に、埃、塵の付いたモップ１７を載せて上下動させて叩くか左右又は前後動させて擦り付けることによって落ちた軽い塵、埃はスリット１から吸い込み、重い塵は箱状体４の底板２の上に落としてモップ１７の掃除をすることが出来るものである。
【手続補正３】
【補正対象書類名】明細書
【補正対象項目名】００２６
【補正方法】変更
【補正の内容】
【００２６】
本発明２の効果として、図３、図４に示すように本発明２逆台形の箱状体１４の上面の吸引部材６の上に埃、塵の付いたモップ１７を載せて上下動させて叩くか左右又は前後動させて擦り付けることによって落ちた軽い塵、埃はスリット１から吸い込み、重い塵も傾斜外側板２０、２０とを滑って隙間１５、１５から吸引してモップ１７の掃除をすることが出来るものである。
【手続補正４】
【補正対象書類名】明細書
【補正対象項目名】００２７
【補正方法】変更
【補正の内容】
【００２７】
本発明３の効果として、図５、図６、図７に示すように本発明３の吸引部材６として複数の桟９、９・・・を長手方向又は短辺方向又は簀の子状にして設けていることは、モップ１７を載せて上下動させて叩くか左右動させて擦り付けることによって桟９と桟９の隙間にモップ１７の紐が入り込み、モップ１７の奥に入り込んだ埃、塵をかき出すことが出来るものである。
【手続補正５】
【補正対象書類名】明細書
【補正対象項目名】００２９
【補正方法】変更
【補正の内容】
【００２９】
本発明５の効果として、図１１に示すように本発明５の吸引部材６の三方側面を高くし、上面全面に天板１０を設けることによって、一方側面だけから空気を吸引することが出来る。又図１２に示すように本発明４の吸引部材６の三方側面を高くし、上面に切欠のある天板１１を設けることによって、モップ１７の握り棒を本体中央部まで入れてモップ１７で集めてきた埃、塵を払い落とすことが出来るので、埃が飛散しないように吸引する空気の流入方向を吸引部材６の方向に制御するようにしたものである。
【手続補正６】
【補正対象書類名】明細書
【補正対象項目名】００３０
【補正方法】変更
【補正の内容】
【００３０】
本発明６の効果として、図１３に示すように本発明６の吸引部材６の三方又は四方側面と上面に庇１２を取り付けることによって、モップ１７の握り棒を持ってモップ１７で集めてきた埃、塵を払い落とした時に、埃が飛散しないように吸引する空気の流入方向を吸引部材６の方向に制御するようにしたものである。
【手続補正７】
【補正対象書類名】明細書
【補正対象項目名】００４８
【補正方法】変更
【補正の内容】
【００４８】
本発明５の実施例を示している図１１は、三側面を吸引部材６より高くし、三側面の上端辺全面に天板１０を設けたものである。短いハンドルをモップの側面に取り付けたハンディーモップを空いている側面から挿入し、吸引部材６の上で左右動させて擦り付けるか、上下動させて叩き付けるか前後動させて擦り付けることによって、ハンディーモップに付いた埃、塵を箱状体４、１４の中に落とすことが出来るものである。
【手続補正８】
【補正対象書類名】明細書
【補正対象項目名】００５２
【補正方法】変更
【補正の内容】
【００５２】
本発明６の実施例を示している図１３は、三側面又は四側面を高くし庇１２を設けたカバーを取り付けることによって、長い握り棒を取り付けたモップ１７を空いている側面から挿入し、吸引部材６の上で前後動させて擦り付けるか、上下動させて叩き付けることによって、モップ１７に付いた埃、塵を箱状体４、１４の中に落とすことが出来るものである。